(57)【特許請求の範囲】
【請求項１】
電子ディスプレイと装飾可動体とを具備し、前記装飾可動体は電動アクチュエータにより作動させることによって前記電子ディスプレイの前側に出没するようにした遊技機であって、
前記装飾可動体に近接させて、往復動しかつ往動したとき前記没入して停止する前記装飾可動体に係合することにより前記装飾可動体の出現動作を阻止するロック部材を配置し、
前記装飾可動体の出現動作を阻止するロック位置と前記装飾可動体の出現動作を許容する解除位置とで、前記ロック部材を前記取付位置に着脱自在に固定し得る固定手段を設け、
前記ロック部材は、前記ロック部材が配置される取付部位に設けられた摺動溝に嵌る嵌入片と、前記嵌入片に突設され、前記摺動溝と連通するようにして設けられかつ該摺動溝の溝幅より食み出るように形成された出入口に合致して嵌る抜止突片とを備え、
前記抜止突片を前記出入口に嵌入した状態で前記ロック部材を前記摺動溝に沿って摺動させ前記固定手段により固定すると共に前記嵌入片により前記装飾可動体の出現動作を阻止し、前記抜止突片を前記出入口から抜くことにより前記ロック部材が取り外せるようにしたことを特徴とする遊技機。
【請求項２】
前記固定手段は、前記ロック部材側と前記取付部位側とのいずれか一方に設けられるロックピンと、他方に設けられ前記ロックピンが嵌脱自在に係合する二股状の嵌合片と、からなる請求項１記載の遊技機。
【発明の詳細な説明】
【技術分野】
【０００１】
本発明は、数字、記号等の図柄を変動表示する電子ディスプレイを備えた遊技機に関するものである。
【背景技術】
【０００２】
この種の遊技機であるパチンコ遊技機は、例えば遊技盤面の中央に数字、記号等の図柄を変動表示する電子ディスプレイを内装した変動表示装置が配置される。また、その下方に遊技盤面に打ち込まれた遊技球が入賞することにより、前記電子ディスプレイに表示する図柄を変動させる始動入賞口、及びその下方に位置して前記変動した後に止まった図柄が例えば「７７７」に揃い、遊技者に有利な特別遊技状態、所謂「大当り」状態になったとき、一度に多くの入賞球を発生させる大入賞口、がそれぞれ配設されている。変動表示装置の上部には、遊技の面白みを増すため装飾可動体を配置している。該装飾可動体は、その後側に配置され前後に延びかつ上下に回動するアームの先端に吊り下げられる。そして、例えば、変動表示装置に表示されるゲーム内容と連動させて、電動アクチュエータにより回動する回転板をアームの基端に上から係合させて装飾可動体を引き上げ、その係合が外れるのに伴い装飾可動体を変動表示装置の前側に落として演出させるようにしている（例えば、特許文献１参照。）。
【０００３】
【特許文献１】特開２００７−７０５７号公報（第３−５頁、図１、図２、図４）
【発明の開示】
【発明が解決しようとする課題】
【０００４】
パチンコ遊技機は、組立工場で製作され各種の検査を経てホールに出荷される。ところが、前記特許文献１のように電子ディスプレイの上部に上下に回動するアームが設けられていると、例えばパチンコ遊技機のホールへの出荷に際して輸送する場合、その輸送途中の振動により前記アームが必要もなく揺動して、他の部位に衝突しアームが破損したり、他の部位を破損させたりして、その破損したアームを再度新しいものと交換しなくてはならないという面倒な作業が必要になるという課題が有る。
【０００５】
そこで、本発明は、前記課題に鑑みてなされたもので、没入して停止する装飾可動体の出現動作をロック部材により阻止するようにして、遊技機の輸送中にその振動により該装飾可動体が他の部位に衝突して破損するといった支障の生じないようにした遊技機を提供することを目的とする。
【課題を解決するための手段】
【０００６】
かかる目的を達成するため本発明に係る遊技機は、電子ディスプレイと装飾可動体とを具備し、前記装飾可動体は電動アクチュエータにより作動させることによって前記電子ディスプレイの前側に出没するようにした遊技機であって、前記装飾可動体に近接させて、往復動しかつ往動したとき前記没入して停止する前記装飾可動体に係合することにより前記装飾可動体の出現動作を阻止するロック部材を配置したことを特徴とする。
【０００７】
具体的には、電子ディスプレイと、アーム部の先端に枠状装飾部材を延設し互いに連繋する一対の装飾可動体とを具備し、前記一方の装飾可動体のアーム部を電動アクチュエータにより作動させることにより前記両枠状装飾部材が前記電子ディスプレイの前側に出没するようにした遊技機であって、前記一方の装飾可動体に近接させて、往復動しかつ往動したとき前記没入して停止する前記一方の装飾可動体に係合することにより両枠状装飾部材の出現動作を阻止するロック部材を配置したことを特徴とする。
【０００８】
この際、前記装飾可動体の出現動作を阻止するロック位置と装飾可動体の出現動作を許容する解除位置とで、ロック部材を取付位置に着脱自在に固定し得る固定手段を設けることが好ましい。この固定手段としては、ロック部材側と取付部位側とのいずれか一方に設けられるロックピンと、他方に設けられロックピンが嵌脱自在に係合する二股状の嵌合片と、からなる。
【０００９】
また、前記ロック部材は、ロック部材が配置される取付部位に着脱自在に装着されるようにすることが好ましい。このロック部材は、ロック部材が配置される取付部位に設けられた摺動溝に嵌る嵌入片と、嵌入片に突設され、摺動溝と連通するようにして設けられかつ該摺動溝の溝幅より食み出るように形成された出入口に合致して嵌る抜止突片とを備え、抜止突片を出入口に嵌入した状態でロック部材を摺動溝に沿って摺動させ嵌入片により装飾可動体の出現動作を阻止すると共に、抜止突片を出入口から抜くことによりロック部材が取り外せるようにした。
【発明の効果】
【００１０】
請求項１に係る遊技機は、装飾可動体に近接させて、往復動しかつ往動したとき前記没入して停止する前記装飾可動体に係合するロック部材を配置し、該ロック部材により前記装飾可動体の出現動作を阻止するようにしたので、たとえ、遊技機の輸送中に振動が与えられ装飾可動体が出現しようとしても、ロック部材により阻止される。よって、装飾可動体が他の部位に衝突して破損するといった支障が生ずることはなく、破損した装飾可動体を新しいものと交換する面倒な作業の必要性がないという効果がある。
【００１１】
請求項２、３に係る遊技機では、装飾可動体の出現動作を阻止するロック位置と装飾可動体の出現動作を許容する解除位置とで、ロック部材を取付位置に着脱自在に固定し得るロックピンと二股状の嵌合片といった固定手段を設けている。よって、装飾可動体のロック位置では、装飾可動体の出現動作を確実に阻止する。また、装飾可動体の解除位置では、逆に該装飾可動体の出没動作を支障なく行なえるようにしている。例えば、遊技機の出荷前の検査では、ロック部材を解除位置で固定しておけば装飾可動体が正常に動作するかの検査が支障なく行なえる。これにより、装飾可動体の動作の確実性・安全性が向上する。
【００１２】
請求項４、５に係る遊技機では、ロック部材に、取付部位に設けられた摺動溝に嵌る嵌入片と、嵌入片に突設され、摺動溝と連通するようにして設けられかつ該摺動溝の溝幅より食み出るように形成された出入口に合致して嵌る抜止突片とを備え、該ロック部材を取付部位に着脱自在に装着するようにしている。このロック部材は、遊技機の出荷前や輸送時には必要であるものの、遊技機をホールに設置した後は不要になり、これらに容易に対処でき至便である。
【発明を実施するための最良の形態】
【００１３】
以下、本発明に係る遊技機の実施の形態を図面に基づき詳しく説明する。本発明は、パチンコ遊技機、パチスロ機、パロット（登録商標）機、スロットマシン等の遊技機に適用できるが、この内、パチンコ遊技機について説明する。なお、前記パロット機とは、パチンコ球を遊技媒体としてパチスロ機の遊技が可能な遊技機である。図１は本発明に係るパチンコ遊技機の正面図、図２は同前側から見た斜視図である。１は外枠であり、その前面の遊技盤取付枠（図示せず。）に遊技盤２が配置されると共に該遊技盤取付枠の前側に遊技盤２を覆うようにして前面枠３が開閉自在に軸着される。該前面枠３には中央に前記遊技盤２の遊技部２ａが臨む窓開口４が開設され、該窓開口４に合成樹脂製またはガラス製の透明板を前後に配置した透明板ユニット５が装着される。そして、窓開口４を介して前側から前記遊技部２ａが視認できるようになっている。
【００１４】
前記前面枠３は合成樹脂により成形され、その前面であって窓開口４の下縁に、前方へ張り出させるようにして打球発射部（図示せず。）に供給される遊技球を貯留する球受皿６が一体に設けられる。該球受皿６の一側上面に操作部６ａが設けられ、該操作部６ａに遊技者が遊技進行中の適時にその遊技に参加できるように作動させる押ボタン７や選択キー８が設けられる。また、前面枠３の下部一側には、打球発射部から発射される打球の打球力を調整するための打球力調整ハンドル９が装着されている。
【００１５】
ガイドレール１０で囲まれる遊技盤２面の遊技部２ａに、そのほぼ中央で一側（図１では右側。）に寄せて大型の変動表示装置１１が配設される。該変動表示装置１１の下方の遊技盤２面には、遊技部２ａに打ち込まれた遊技球が入賞することにより前記変動表示装置１１に内装される電子ディスプレイ１２の表示画面１２ａに表示される数字、記号等の図柄を変動表示する始動入賞口１３、及びその下方に位置して前記変動した後に止まった図柄が例えば「７７７」に揃い、遊技者に有利な特別遊技状態、所謂「大当り」状態になったとき、一度に多くの入賞球を発生させる大入賞口１４、がそれぞれ配設されている。
【００１６】
始動入賞口１３は一対の開閉翼片１３ａ，１３ａを有し、これらが起立して遊技球が入賞し難い状態と傾倒して遊技球が入賞し易い状態とに変換できるようになっている。１５は通過チャッカーであり、遊技球が通過することにより電気的に検出され、別途行なわれる「○×」の抽選の結果「○」の結果が示されると、前記開閉翼片１３ａ，１３ａが入賞し易いように一回開く。１６は一般入賞口、１７はガイドレール１０の内周縁に沿って配置される電飾を兼ねたレール飾りである。図１で変動表示装置１１の右側に、該変動表示装置１１とガイドレール１０とにより挟まれるようにして回り通路１８が形成される。遊技部２ａに打ち込まれ回り通路１８を流下する遊技球は、変動表示装置１１下方の右下側領域Ｅ２に達する。この右下側領域Ｅ２は、仮に、回り通路１８がないと、変動表示装置１１下方に隠れてしまいほとんど活用できない部位である。そこで、その右下側領域Ｅ２を有効に活用できるように、回り通路１８を設けて遊技球を流下させている。ちなみに、右下側領域Ｅ２には、一般入賞口１６が配設される。
【００１７】
図３乃至図６に示すように前記変動表示装置１１は、前後面が開口１９する合成樹脂製の箱枠体２０と、該箱枠体２０の後面に取着される前記電子ディスプレイ１２と、から構成される。箱枠体２０の前側板２０ａの前側に、遊技盤２面に取り付けられる取付板２１が取着される。該取付板２１の正面から見てその上部と右側部とに、前方へ突出する略弧状の縁枠部２２が周設されている。そして、該縁枠部２２に沿ってその内側に、星型の立体模様をあしらった装飾体２３が配設される。また、取付板２１の一側（図１では左側。）にワープ通路２４が設けられ、受け入れられた遊技球を次に説明するステージ２５上面に導くようにしている。
【００１８】
取付板２１における開口１９の下縁部に沿って、前記ワープ通路２４の出口と連なるステージ２５が形成される。該ステージ２５の上面は、その中央部を高くしその左右の長手方向に沿って波状に湾曲して形成され、図７に示すようにワープ通路２４とは反対側の終端に、上方へ起立する止め板２６が設けられる。この止め板２６は、ステージ２５の上面を遅い速さで転動する遊技球を止めることはできるが、勢いの強い遊技球は乗り越えられるようにその高さが選ばれる。そして、該止め板２６の外側には、前記装飾体２３の星型の立体模様間に形成され右下側領域Ｅ２に通ずる誘導路２７が設けられ、前記止め板２６を乗り越えた遊技球を誘導路２７を介して再び右下側領域Ｅ２に戻すようにしている。これによっても、該遊技部２ｂの有効活用が図られる。
【００１９】
ステージ２５中央の下方であって取付板２１に、始動入賞口１３の真上に位置する球排出口２８が開設されている。取付板２１の後側に開口１９を覆う透明な合成樹脂板３１が配置され、遊技部２ａを流下する遊技球であって間違って開口１９内に飛び込む遊技球により電子ディスプレイ１２の表示画面１２ａが破損しないように保護している。また、該合成樹脂板３１の後面に接するようにして開口１９の周縁に、後方へ突出する飾り縁部３２が設けられる。ステージ２５の中央の後側に、前面が開放される球受口３３が設けられる。該球受口３３はステージ２５の中央上面よりも上方へ突出しており、かつ、前記球排出口２８と連通している。
【００２０】
そこで、ステージ２５上面を左右にゆっくり転動する遊技球であって、球受口３３に入った遊技球は、球排出口２８から遊技盤２面に排出されて流下することになる。ただ、その真下の始動入賞口１３に入賞する機会が高まる。また、箱枠体２０における前側板２０ａの下部前面に、前記遊技盤２面に設けられた始動入賞口１３、一般入賞口１６と連なる球通路３４ａ，３４ｂが凹設され、該各球通路３４ａ，３４ｂにはその下端部に通過する遊技球を検出する検出スイッチ３５が配置されている。これら始動入賞口１３、一般入賞口１６に入賞した遊技球は、球通路３４ａ，３４ｂを流下してパチンコ遊技機Ｐの外部に排出される。
【００２１】
そして、箱枠体２０の内部の一側、正面から見て左側、に本発明に係る一対の装飾可動体３６ａ，３６ｂが配設される。この内、図８（イ）（ロ）に示すように一方の装飾可動体３６ａは、上下方向に配置されたほぼ直線状のアーム部３８と、その上端に延設され二つの半円が横に並んだ形状をなす枠状装飾部材３９とからなる。そして、該アーム部３８の下端部が箱枠体２０に支軸４０により軸着され、電子ディスプレイ１２の表示画面１２ａに沿って自在に揺動する。
【００２２】
これに対し、他方の装飾可動体３６ｂは、上下方向に配置されたほぼ直線状のアーム部４１とその下端に延設されほぼＶ字型形状をなす枠状装飾部材４２とからなる。そして、該アーム部４１の上端部が箱枠体２０に支軸４３により軸着され、電子ディスプレイ１２の表示画面１２ａに沿って自在に揺動するようになっている。これら一対の装飾可動体３６ａ，３６ｂは両アーム部３８，４１で前後に交差し、一方のアーム部３８から支持ピン４４が突設され、他方のアーム部４１に該支持ピン４４が遊挿される保持孔４５が開設される。そして、支持ピン４４を保持孔４５に遊挿し枢着した状態で、一対の装飾可動体３６ａ，３６ｂがそれぞれ支軸４０，４３を中心として揺動する。支持ピン４４と保持孔４５の位置は、両アーム部３８，４１で逆に設けるようにしても良い。
【００２３】
図９（イ）乃至（ハ）に示すように下端で軸着された一方の装飾可動体３６ａのアーム部３８に、その支軸４０近傍の一側に位置させて該装飾可動体３６ａの揺動面と平行な袖板４６が一体に張設され、該袖板４６に前記支軸４０を通る直線に沿って細長孔４７が開設される。箱枠体２０に、動力伝達手段としての従動歯車４８が支軸４９により袖板４６と前後で一部重なるようにして軸着される。該従動歯車４８は一方の装飾可動体３６ａの揺動面と平行な面内で回動し、その後面には、前記細長孔４７に挿通する係合ピン５０が突設される。
【００２４】
また、従動歯車４８に近接させて箱枠体２０に、駆動軸５１ａに固着された駆動歯車５２を前記従動歯車４８に噛合させる電動アクチュエータとしての駆動モータ５１が取着される。前記従動歯車４８の前面に円環状の筒部５３が同心円状に突設され、その外周の一側に透光性のスリット５４が設けられる。５５は、箱枠体２０に投光部５５ａと受光部５５ｂとを固設し、筒部５３の内側と外側にそれぞれ該投光部５５ａと受光部５５ｂとを対向させる該スリット５４を光学的に検出する回転検出用のフォトセンサである。また、図６に示すように前記両枠状装飾部材３９，４２はそれぞれ前面が開放される空洞状に形成され、その前面が半透明なレンズ部材５６により覆われ、内部に複数個の発光体であるＬＥＤ５７が等間隔に配置されている。
【００２５】
一対の装飾可動体３６ａ，３６ｂは、常態ではそれら枠状装飾部材３９，４２が互いに離れるように揺動し、図１０実線に示すように箱枠体２０における前側板２０ａと後側板２０ｂとの間の上部と下部にそれぞれ分散して設けられた所定の収納スペース５８ａ，５８ｂに位置し、いずれもパチンコ遊技機Ｐの前側からでは見えないようになっている。そこで、駆動モータ５１が所定の方向へ回動すると、駆動歯車５２と噛合する従動歯車４８が回動して係合ピン５０が細長孔４７内を往復動する。駆動モータ５１の駆動軸５１ａは、常に一定の方向へ回転する。
【００２６】
これに伴い、一方の装飾可動体３６ａが揺動すると共にこれと連動して他方の装飾可動体３６ｂも揺動する。これにより、一方の枠状装飾部材３９が上から下降すると共に他方の枠状装飾部材４２が下から上昇し、図１０鎖線に示すように電子ディスプレイ１２の表示画面１２ａの前側中央で両枠状装飾部材３９，４２が接して合着することにより、ハート形の形状が出現することになる。この位置では、一旦、駆動モータ５１は停止する。そして、再び駆動モータ５１が駆動して駆動歯車５２が同方向へ回転すると、両枠状装飾部材３９，４２が離れて互いに上下方向へ別れ、元の収納スペース５８ａ，５８ｂに退避する。
【００２７】
図１０実線のように前記両装飾可動体３６ａ，３６ｂが収納スペース５８ａ，５８ｂに収納された位置では、従動歯車４８における筒部５３のスリット５４をフォトセンサ５５で検出してその位置で両装飾可動体３６ａ，３６ｂが停止するように駆動モータ５１を停止させる。両装飾可動体３６ａ，３６ｂが一往復して収納スペース５８ａ，５８ｂへ戻ってきたとき、スリット５４がフォトセンサ５５で検出されるようになっており、その中間位置、すなわち従動歯車４８が前記位置から半回転した位置、換言すると両枠状装飾部材３９，４２が図１０鎖線のように出現した位置では、駆動モータ５１が自動的に停止するようになっている。また、通常、遊技盤２が後側へ少し傾く関係上、両装飾可動体３６ａ，３６ｂも少し後側（電子ディスプレイ１２側）へ傾いている。
【００２８】
本発明にあっては、両装飾可動体３６ａ，３６ｂにおける枠状装飾部材３９，４２が互いに安定して回動し、かつ、前後方向のずれがなく正確に合着するような工夫か凝らされている。すなわち、図１１（イ）に示すように他方の装飾可動体３６ｂにおけるアーム部４１の交差部に、一方の装飾可動体３６ａのアーム部３８を他方の装飾可動体３６ｂのアーム部４１とで挟む抑止板５９をビス止めにより取着している。該抑止板５９は、箱枠体２０の後側板２０ｂの前面に対向位置しており、図１１（ロ）に示すようにその後側板２０ｂの前面に突条６８が設けられている。これによって、両装飾可動体３６ａ，３６ｂの揺動動作に伴い、一方の装飾可動体３６ａが抑止板５９と他方の装飾可動体３６ｂとの間に形成される挟空間３７内を摺動するようになる。同時に、抑止板５９の裏面に前記突条６８が摺接して、装飾可動体３６ａ，３６ｂの揺動動作を安定した状態でガイドすると共に抑止板５９と後側板２０ｂの前面との接触面積を減らして摩擦抵抗を軽減している。
【００２９】
このように、一方の装飾可動体３６ａが他方の装飾可動体３６ｂと抑止板５９とで挟まれるようにしてガイドされるので、その回動動作が極めて安定する。これは、両枠状装飾部材３９，４２が互いに確実に接して合着することにもつながる。また、図９（ハ）に示すように箱枠体２０における後側板２０ｂの前面に、揺動する一方の装飾可動体３６ａ、すなわち袖板４６の裏面に当接する支持ローラ６０が取着され、一方の装飾可動体３６ａが揺動するとき、該一方の装飾可動体３６ａの裏面に接してガイドしている。これによって、一対の装飾可動体３６ａ，３６ｂの揺動動作が安定し前後方向のずれも解消される。
【００３０】
また、図１２（イ）に示すように一方の枠状装飾部材３９における基端部の一側角部に、両枠状装飾部材３９，４２が互いに接したとき他方の枠状装飾部材４２の一側角部を外側から受け止める突片６１が設けられる。また、図１２（ロ）に示すように一方のアーム部３８における先端部の一側角部に面取り状の傾斜面６２が設けられ、他方のアーム部４１おける前記一側角部と対応位置する一側角部には前記傾斜面６２と同じ傾斜角度の傾斜面６３を有する受止片６４が設けられる。更に、図１２の（ハ）に示すように一方の枠状装飾部材３９の先端部の当接下面６５と他方の枠状装飾部材４２の先端部の当接上面６６に、それぞれ対向する面が異極となる磁石６７ａ，６７ｂが設けられている。
【００３１】
よって、一対の装飾可動体３６ａ，３６ｂを揺動させ両枠状装飾部材３９，４２を接触し合着させたとき、前記突片６１が他方の枠状装飾部材４２の一側角部を受け止め、前記一方の傾斜面６２が他方の傾斜面６３と合致し、更に、両枠状装飾部材３９，４２先端部の当接上・下面６５，６６の磁石６７ａ，６７ｂが吸着される。これにより、両枠状装飾部材３９，４２が、前後方向の位置ずれを起こすことなく正確に合着する。
【００３２】
箱枠体２０の後側板２０ｂにおける一側隅角部、正面から見て開口１９の右下隅に隅角覆い板７１が着脱自在に取着され、該隅角覆い板７１の前面に携帯電話器の外形を模した仕掛け飾部材７２が配置される。該仕掛け飾部材７２は、図１３に示すように隅角覆い板７１に固着される台枠７３と該台枠７３に取着される保持枠７４と該保持枠７４に取着され携帯電話器の外形を模した電話ケース体７５とからなる。該台枠７３は、台板７３ａの裏面の両側に一対のビス孔７６，７６が設けられ、台板７３ａの両側縁に後方へ屈曲する側板７３ｂ，７３ｂが設けられると共に両側板７３ｂ，７３ｂの上・下端部にそれぞれ軸孔７７，７７が開設される。
【００３３】
保持枠７４は、台枠７３より大きく略縦長長方形状に成形され、その前面板７４ａの両側縁に前端縁がそれぞれ下方に進むに従い前方へ迫り出すような傾斜面に形成される側面板７４ｂ，７４ｂが設けられ、両側面板７４ｂ，７４ｂ間に前記上下の各軸孔７７に遊挿する軸７８，７８が固着される。これら上下の軸７８，７８は、平行でありかつ前面板７４ａに対しても平行に位置する。前面板７４ａの両側であって両側面板７４ｂ，７４ｂの内側には、前面板７４ａの中央部を残して縦長の切欠開口７９，７９が設けられ、各切欠開口７９，７９に台枠７３のビス孔７６，７６が対応している。また、前面板７４ａの中央部は台枠７３の後側に位置し、その中央部の所定位置に縦長の連通孔８０が開設される。保持枠７４の下端縁から両側板７４ｂ，７４ｂの前端縁の傾斜に沿って受止板部８１が延設され、該受止板部８１の中央に後記する配線基板８７のコネクター９０を挿通させる透孔８２が開設される。８３，８３は、該透孔８２両側の受止板部８１と前面板７４ａの上端両側に開設されたビス挿通孔である。
【００３４】
図１３乃至図１６に示すように電話ケース体７５は、合成樹脂材から成形され、多くの模擬テンキー８４が半透明な樹脂により成形される操作面部７５ａとその上部に連接され縦長長方形状の窓孔８５が開設された表示部７５ｂとからなり、窓孔８５は透明な樹脂板８５ａにより覆われている。また、操作面部７５ａの裏面には、その上下部に前記各ビス挿通孔８３に対応位置してビス孔８６が設けられている。８７は保持枠７４と電話ケース体７５の操作面部７５ａとの間に介在される配線基板であり、その前面に前記各模擬テンキー８４に対応位置させてそれぞれＬＥＤ８８が配設されている。また、配線基板８７の下端部両側に、電話ケース体７５のビス孔８６，８６に対応位置させてビス挿通孔８９が設けられている。これら両ビス挿通孔８９間の裏側には、コネクター９０が設けられる。
【００３５】
前記台枠７３の下方であって隅角覆い板７１の前面に、中央より少し下方を支軸９１により軸着して隅角覆い板７１の前面に沿って揺動する作動杆９２が配置される。また、該作動杆９２の下側に、一側面にカム溝９３を刻設した回転円板９４が配置される。該回転円板９４はその裏側に隅角覆い板７１に固着された電動アクチュエータとしての駆動モータ９５の駆動軸９５ａに軸着され、隅角覆い板７１の前面に沿って回転し得るようになっている。作動杆９２の上端前面に前記保持枠７４の連通孔８０に係合する第一係合ピン９６ａが突設され、下端後面に前記回転円板９４のカム溝９３に嵌入する第二係合ピン９６ｂが突設される。カム溝９３は、回転円板９４の中心を囲うようにして略三角形状に形成される。また、９８は回転円板９４の外周縁に等間隔を保持して３つの透光性のスリット９７を形成し、該回転円板９４を両側から挟むように投光部９８ａと受光部９８ｂとを配置することにより、該回転円板９４の回転状態を光学的に検知する回転検出用のフォトセンサである。
【００３６】
そこで、両ビス孔７６，７６が保持枠７４の両切欠開口７９，７９に対応するようにして、台枠７３の両側板７３ｂ，７３ｂの上下部に開設された軸孔７７，７７に軸７８，７８を遊挿すると共に、該軸７８，７８の両端部を保持枠７４の両側面板７４ｂ，７４ｂに固着することにより保持枠７４が台枠７３に取着される。次に、保持枠７４の前面に、ビス挿通孔８９，８９が受止板部８１のビス挿通孔８３，８３に一致するようにして配線基板８７を当接する。この際、コネクター９０は、透孔８２から後方へ突出させておく。また、保持枠７４の前面に、電話ケース体７５の操作面部７５ａを被せる。そして、保持枠７４の裏側から各ビス挿通孔８３，８３を介して操作面部７５ａの裏面の各ビス孔８６に、ビス９９を螺締する。
【００３７】
このようにして、仕掛け飾部材７２が組み立てられる。更に、該仕掛け飾部材７２を隅角覆い板７１の前面に配置し、前記台枠７３のビス孔７６，７６に対応して隅角覆い板７１に設けられたビス挿通孔１００，１００を介して該各ビス孔７６にビス１０１を螺締する。これにより、仕掛け飾部材７２が各軸７８に沿って自在に左右に摺動することになり、しかも、駆動モータ９５が駆動することにより、図１６に示すように回転円板９４が回転して作動杆９２を小刻みに左右に揺動させる。これに伴い、仕掛け飾部材７２が、恰も携帯電話器が鳴っているかのように左右に振動する。
【００３８】
前記一方の装飾可動体３６ａに近接させて箱枠体２０に、進退動しかつ進出したとき前記没入して停止する位置にある一方の枠状装飾部材３９の出現動作を阻止してロックするロック部材１０５を配置している。すなわち、図１７に示すように前記箱枠体２０の後側板２０ｂの上辺に水平な摺動溝１０４が設けられ、該摺動溝１０４にロック部材１０５が嵌り、該摺動溝１０４に沿ってロック部材１０５が自在に左右に摺動できるようにしている。前記摺動溝１０４には、その長手方向に沿ってほぼ３等分する位置に溝幅よりも広く外側へ食み出る出入口１０６，１０６が該摺動溝１０４と連通するようにして開設される。また、後側板２０ｂの裏側に、リブ１０７により前記摺動溝１０４の周囲を囲うようにして該摺動溝１０４よりも長い取付凹部１０８が形成される。該取付凹部１０８の長手方向の両端部には、固定手段としてのロックピン１０９，１０９が突設される。
【００３９】
前記ロック部材１０５は、前記取付凹部１０８周囲のリブ１０７の後端縁に当接する基板１１０を有する。該基板１１０の前面に前記摺動溝１０４に嵌る嵌入片１１１が基板１１０に対し直角に突設され、該嵌入片１１１の両側位置であってその表・裏両面に前記両出入口１０６，１０６に嵌る抜止突片１１２，１１２が突設される。この際、嵌入片１１１における長手方向の一側に、前方へ張り出させた停止片部１１３が一体に形成される。また。基板１１０の長手方向に沿った両端部が二股状に形成され、前記各ロックピン１０９に嵌脱自在に係合する固定手段としての嵌合片１１４がそれぞれ設けられる。基板１１０の裏面には、ロック部材１０５を作動させるための摘み１１５が設けられる。
【００４０】
そして、後側板２０ｂの後側から取付凹部１０８内にロック部材１０５を入れ、両抜止突片１１２，１１２を両出入口１０６，１０６へ嵌めるようにして嵌入片１１１を摺動溝１０４に挿入し、該摺動溝１０４に沿っていずれかに摺動させる。これにより、基板１１０の前面がリブ１０７の後端縁に当接すると共に摺動溝１０４の溝幅よりも広い各抜止突片１１２，１１２が後側板２０ｂの前面に位置することから、ロック部材１０５が摺動溝１０４から抜け出なくなる。
【００４１】
そこで、一対の装飾可動体３６ａ，３６ｂを揺動して没入させ枠状装飾部材３９，４２を収納スペース５８ａ，５８ｂに収納した状態で、例えば図１８矢視方向に示すようにロック部材１０５を一方の枠状装飾部材３９が収納された収納スペース５８ａ側へ摺動して進出させる。そして、同側の嵌合片１１４をロックピン１０９に嵌合させる。これにより、ロック部材１０５が固定され、嵌入片１１１の一側の停止片部１１３が枠状装飾部材３９の先端面６５（当接下面）に当接して係合することになり、枠状装飾部材３９の出現動作を阻止してロックする。また、ロック部材１０５を摺動溝１０４に沿って前記方向とは逆方向へ摺動させ、同側の嵌合片１１４をロックピン１０９に嵌合させると、ロック部材１０５が固定される。この状態では、一対の装飾可動体３６ａ，３６ｂが揺動するに何ら支障はない。このように、ロック部材１０５は、装飾可動体３６ａの枠状装飾部材３９の出現動作を阻止するロック位置と、その枠状装飾部材３９の出現動作を許容する解除位置とで、嵌合片１１４をロックピン１０９に嵌合させることにより固定できるようになっている。
【００４２】
本発明に係るパチンコ遊技機Ｐは上記構成からなり、次に作用について説明する。遊技盤２面に打ち込まれた遊技球は、ほとんど変動表示装置１１の左側の左側領域Ｅ１を流下する。そして、該遊技球が通過チャッカー１５を通過すると、電気的に検出されて別途「○×」の抽選がなされ、その結果「○」の結果が示されると始動入賞口１３の開閉翼片１３ａ，１３ａが入賞し易いように一回開く。また、通過チャッカー１５を通過せずに、直接に始動入賞口１３に入賞する場合もある。
【００４３】
更に、ワープ通路２４に流入した遊技球はその下端からステージ２５上面に放出され、該ステージ２５上面に沿って左右に往復転動を繰り返しつつ減衰し、ステージ２５の前端縁から遊技盤２面に戻り流下する。この内、ステージ２５上面を転動する遊技球が該ステージ２５中央の球受口３３に入ると、その下方の球排出口２８から遊技盤２面に排出される。この場合、始動入賞口１３に遊技球が入賞する機会が多くなる。ステージ２５の終端に設けられた止め板２６を勢い余って乗り越えた遊技球は、誘導路２７を通って遊技部２ａの右下側領域Ｅ２に排出される。この右下側領域Ｅ２の領域は遊技球がほとんど流れないため、できるだけ遊技部２ａ面を広く活用できるようにしている。
【００４４】
前記始動入賞口１３に遊技球が入賞すると、電子ディスプレイ１２の表示画面１２ａに表示される図柄が変動を開始し、一定時間経過後に停止する。その停止した図柄が例えば「７７７」といった特別な図柄に揃うと、遊技者に有利な大当り状態になり、一定の条件のもとで大入賞口１４が例えば１６ラウンド開閉を繰り返し、一度に多くの入賞球を得ることができるようになっている。
【００４５】
そして、このようなゲームの流れの中で、遊技の面白みを増すため適時に装飾可動体３６ａ，３６ｂが作動する。すなわち、駆動モータ５１が駆動することにより、駆動歯車５２と噛合する従動歯車４８が回転して袖板４６の細長孔４７内を係合ピン５０が移動する。これにより、両枠状装飾部材３９，４２が電子ディスプレイ１２の表示画面１２ａの前側に上下方向から突出し、互いにこれら枠状装飾部材３９，４２の先端部が合着してハート形に出現することになる。この際、ＬＥＤ５７が発光して電飾効果を高めるようにしている。また、そのハート形の枠状装飾部材３９，４２に対応する表示画面１２ａには、その部分のみ他と異なる図柄が表示されるようにしている。
【００４６】
このように、両装飾可動体３６ａ，３６ｂのアーム部３８，４１を電子ディスプレイ１２の外側近傍に夫々軸支すると共に、両アーム部３８，４１を交差状に枢着している。そして、一方の装飾可動体３６ａのアーム部３８を駆動モータ５１により揺動させることにより、両枠状装飾部材３９，４２が電子ディスプレイ１２の前側に出没するようにしたので、各装飾可動体３６ａ，３６ｂを収納するための収納スペース５８ａ，５８ｂが分散できてその収納が容易となる。これによって、装飾可動体３６ａ，３６ｂの大型化が可能となり、しかも遊技の面白みを一段と増すことができる。
【００４７】
この際、一対の装飾可動体３６ａ，３６ｂはそれぞれ上下位置で接離するように配置されているので、両装飾可動体３６ａ，３６ｂが接するときまたは離れるときに、一方の装飾可動体３６ａ，３６ｂの自重を利用して回動できる。これにより、その分それらを作動させる駆動モータ５１への負荷が低減され、また、その動作速度を速めることもできる。
【００４８】
ところで、新しく組み立てられたパチンコ遊技機Ｐは、梱包してパチンコホールへ出荷されるが、その際、両枠状装飾部材３９，４２すなわち両装飾可動体３６ａ，３６ｂは、没入して各収納スペース５８ａ，５８ｂに収納されている。しかも、ロック部材１０５が摺動溝１０４内を摺動して進出し、その嵌入片１１１の先端部の停止片部１１３が一方の装飾可動体３６ａの枠状装飾部材３９の先端面６５に当接して係合し、枠状装飾部材３９の出現動作を阻止してロックしている。
【００４９】
よって、パチンコ遊技機Ｐをパチンコホールへ輸送する途中に、振動が与えられ各両枠状装飾部材３９，４２が互いに揺動して電子ディスプレイ１２の表示画面１２ａの前側に出現しようとしても、一方の装飾可動体３６ａの揺動動作が停止片部１１３により阻止される。これにより、一対の枠状装飾部材３９，４２が揺動して必要も無く互いに衝突することがなくなり、両装飾可動体３６ａ，３６ｂが破損するといった支障が生ずることがなく安全に保護される。
【００５０】
特に、ロック部材１０５を装飾可動体３６ａ，３６ｂの出現動作を許容する解除位置で固定するようにすれば、例えば工場で組み立てられた新しいパチンコ遊技機Ｐであって、特に一対の装飾可動体３６ａ，３６ｂの動作検査をする場合に、その動作が支障なく行なえる。また、各出入口１０６と各抜止突片１１２とを合致させることにより、ロック部材１０５が取付凹部１０８の摺動溝１０４に着脱できるようになっている。これは、ロック部材１０５がパチンコ遊技機Ｐの出荷前や輸送時には必要であるものの、パチンコ遊技機Ｐをホールに設置した後は不要になり、これらに容易に対処できるようにするためである。
【００５１】
なお、本発明では一対の装飾可動体について説明したが、一本の装飾可動体であっても本発明が適用できることは勿論である。
【図面の簡単な説明】
【００５２】
【図１】本発明に係るパチンコ遊技機の正面図。
【図２】同前側から見た斜視図。
【図３】変動表示装置の正面図。
【図４】同背面図。
【図５】同左側面図。
【図６】同中央縦断面図。
【図７】同ステージ部位の斜め上から見た斜視図。
【図８】（イ）（ロ）は作動状態を示す一対の装飾可動体の斜視図。
【図９】（イ）は駆動部を示す装飾可動体の一部の正面図、（ロ）は同背面図、（ハ）は同左側面図。
【図１０】一対の装飾可動体が箱枠体の収納スペースに収納された状態を示す背面図。
【図１１】（イ）は図１０のＶ−Ｖ線断面図、（ロ）は図１０のＷ−Ｗ線断面図。
【図１２】（イ）は図１０のＸ−Ｘ線断面図、（ロ）は図１０のＹ−Ｙ線断面図、（ハ）は図８のＺ−Ｚ線断面図。
【図１３】仕掛け飾部材の分解斜視図。
【図１４】仕掛け飾り部材部位を断面にして示す箱枠体の右側面図。
【図１５】同一部拡大側面断面図。
【図１６】同作用を示す正面図。
【図１７】箱枠体の後側板上部の背面斜視図。
【図１８】同正面図。
【符号の説明】
【００５３】
１２      電子ディスプレイ
３６ａ    装飾可動体
３６ｂ    装飾可動体
５１      電動アクチュエータ（駆動モータ）
１０５    ロック部材
Ｐ        遊技機（パチンコ遊技機）
【図１】
0004689656.tif 000002
【図２】
0004689656.tif 000003
【図３】
0004689656.tif 000004
【図４】
0004689656.tif 000005
【図５】
0004689656.tif 000006
【図６】
0004689656.tif 000007
【図７】
0004689656.tif 000008
【図８】
0004689656.tif 000009
【図９】
0004689656.tif 000010
【図１０】
0004689656.tif 000011
【図１１】
0004689656.tif 000012
【図１２】
0004689656.tif 000013
【図１３】
0004689656.tif 000014
【図１４】
0004689656.tif 000015
【図１５】
0004689656.tif 000016
【図１６】
0004689656.tif 000017
【図１７】
0004689656.tif 000018
【図１８】
0004689656.tif 000019